(57)【特許請求の範囲】
【請求項１】
地図背景情報、地図上に表示される各種施設を表示するための施設情報を設定する施設情報テーブルと、施設情報テーブルに対応して施設を音声認識処理手段に認識させるための施設読みを設定する認識処理テーブルと、音声認識処理手段に認識させるための認識単語および認識された時に返す認識ＩＤを設定する認識辞書テーブルと、音声認識時に実行する対応処理を設定する処理プログラム対応テーブルとを備え、地図背景情報、施設情報テーブル、認識処理テーブル、認識辞書テーブルおよび処理プログラム対応テーブルの各種情報を設定する情報設定手段と、地図背景情報および施設情報を表示する地図背景情報／施設情報表示手段と、入力された音声を認識し、その音声認識結果に基づいて認識ＩＤを抽出する音声認識処理手段と、認識ＩＤに対応した施設番号を認識処理テーブルより抽出する施設抽出手段と、処理プログラム対応テーブルに基づいて抽出された施設番号の施設に対する対応処理を実行する対応処理実行手段とを有することを特徴とする地図認識処理システム。
【請求項２】
既存の地図情報に基づいて地図背景情報、施設情報テーブルおよび施設データベースを生成する地図変換処理手段と、施設情報テーブルに基づいて認識処理テーブルを生成する認識辞書変換処理手段とを有することを特徴とする請求項１に記載の地図認識処理システム。
【請求項３】
施設情報テーブルの施設名に基づいて認識処理テーブルの施設読みを生成する読み変換処理手段を有することを特徴とする請求項２に記載の地図認識処理システム。
【請求項４】
地図上の任意地点を指定する任意地点データ指定処理手段と、情報を入力する情報入力処理手段と、施設情報テーブルより空きの施設番号を抽出する空施設抽出処理手段と、抽出施設番号を指定の任意地点に割り当て、施設情報テーブル、施設データベース、認識処理テーブルに指定任意地点情報を登録する任意データ登録処理手段とを有することを特徴とする請求項１に記載の地図認識処理システム。
【請求項５】
認識処理テーブルから認識辞書テーブルを生成する認識処理編集処理を行う際、施設番号の読みを自動的に付加する施設番号読み自動付加処理手段を有することを特徴とする請求項４に記載の地図認識処理システム。
【請求項６】
地図背景情報、地図上に表示される各種施設を表示するための施設情報を設定する施設情報テーブルと、施設情報テーブルに対応して施設を音声認識処理手段に認識させるための施設読みを設定する認識処理テーブルと、音声認識処理手段に認識させるための認識単語および認識された時に返す認識ＩＤを設定する認識辞書テーブルと、音声認識時に実行する対応処理を設定する処理プログラム対応テーブルとを備え、地図背景情報、施設情報テーブル、認識処理テーブル、認識辞書テーブルおよび処理プログラム対応テーブルの各種情報を設定する工程と、次いで、地図背景情報および施設情報を表示する工程と、次いで、入力された音声を認識する工程と、次いで、その音声認識結果に基づいて施設番号を抽出する工程と、次いで、認識ＩＤに対応した施設番号を認識処理テーブルより抽出する工程と、処理プログラム対応テーブルに基づいて抽出された施設番号の施設に対する対応処理を実行する工程とを含むことを特徴とする地図認識処理方法。
【請求項７】
既存の地図情報に基づいて地図背景情報、施設情報テーブルおよび施設データベースを生成した後、施設情報テーブルに基づいて認識処理テーブルを生成することを特徴とする請求項６に記載の地図認識処理方法。
【請求項８】
施設情報テーブルの施設名に基づいて認識処理テーブルの施設読みを生成することを特徴とする請求項７に記載の地図認識処理方法。
【請求項９】
地図上の任意地点を指定する工程と、情報を入力する工程と、施設情報テーブルより空きの施設番号を抽出する工程と、抽出施設番号を指定の任意地点に割り当て、施設情報テーバル、施設データベース、認識処理テーブルに指定任意地点情報を登録する工程とを含むことを特徴とする請求項６に記載の地図認識処理方法。
【請求項１０】
認識処理テーブルから認識辞書テーブルを生成する際、施設番号の読みを自動的に付加する工程を有することを特徴とする請求項９に記載の地図認識処理方法。
【発明の詳細な説明】
【０００１】
【発明の属する技術分野】
本発明は、地図認識処理システムおよび地図認識処理方法に係り、詳しくは、館内案内、観光ガイドなどの情報提供を行う音声認識応答装置を活用した検索システムに適用することでき、また、各種施設や任意地点に情報を入力することができる情報入力システムにも適用することができ、特に、音声認識対象となる地図の施設数が多くなっても、システム構築時の設定作業を容易に行うことができる地図認識処理システムおよび地図認識処理方法に関するものである。
【０００２】
【従来の技術】
図１６は従来の地図認識処理システムの処理フローを示すフローチャートであり、図１７は従来の地図認識処理システムに使用される認識辞書テーブルを示す図である。図１７に示す認識辞書テーブルには、地図（マップ）上に書いてある地名の読みとこれに対応する認識ＩＤを示している。地図上の地名の読みが“しんじゅく”の時は、認識ＩＤが“１”であり、地図上の地名の読みが“しぶや”の時は、認識ＩＤが“２”であり、地図上の地名の読みが“しながわ”の時は、認識ＩＤが“３”である。
【０００３】
次に、従来の地図認識処理システムの動作について説明する。
まず、図１７に示す認識辞書テーブルを認識辞書として使用するように、認識辞書テーブルの設定を予め行っておく（ステップＳ１００１）。次に、認識処理待ちの音声入力待ち（ステップＳ１００２）の状態で音声“しぶや”が入力されると、認識辞書テーブルをサーチし、該当の認識単語を調べ、“しぶや”という読みが合致する“２”という認識ＩＤをＲＩＤ（リターンＩＤ）の変数に返す（ステップＳ１００３）。ここで、正しく認識されると、音声“しぶや”の認識ＩＤである“２”が認識結果として得られる（ステップＳ１００４）。最後に、認識ＩＤ“２”の対応処理である渋谷の街頭紹介映像が再生される（ステップＳ１００５）。
【０００４】
同様に、認識辞書テーブルの設定後、認識処理待ちの音声入力待ち（ステップＳ１００２）の状態で音声“しんじゅく”が入力されると、認識辞書テーブルをサーチし、該当の認識単語を調べる（ステップＳ１００３）。次いで、“しんじゅく”の認識ＩＤである“１”が認識結果として得られると（ステップＳ１００４）、認識ＩＤ“１”の対応処理である新宿の街頭紹介映像が再生される（ステップＳ１００６）。
【０００５】
また、同様に、認識辞書テーブルの設定後、認識処理待ちの音声入力待ち（ステップＳ１００２）の状態で音声“しながわ”が入力されると、認識辞書テーブルをサーチし、該当の認識単語を調べる（ステップＳ１００３）。次いで、“しながわ”の認識ＩＤである“３”が認識結果として得られ（ステップＳ１００４）、認識ＩＤ“３”の対応処理である品川の街頭紹介映像が再生される（ステップＳ１００７）。
【０００６】
なお、認識処理待ちの音声入力待ち（ステップＳ１００２）の状態で“しんじゅく”、“しぶや”、“しながわ”以外の音声が入力されると、認識辞書テーブルをサーチし、該当の認識単語を調べる（ステップＳ１００３）。そして、該当の認識ＩＤが認識結果として得られない場合（ステップＳ１００４）、音声入力待ちに戻る（ステップＳ１００２）。
【０００７】
この従来の地図認識処理システムでは、音声で“しんじゅく”、“しぶや”、“しながわ”の何れかが入力されると、それぞれの音声を認識してそれぞれの音声に対応した街頭紹介映像を自動的に再生することができるという利点を有する。
【０００８】
【発明が解決しようとする課題】
しかしながら、上記した従来の地図認識処理システムでは、音声認識対象となる地図の施設名が主要なファンクションとなっており、その地図の施設名を認識させる設定処理を一々Ｃプログラムでシステムに作り込んでシステム構築しなければならず、音声認識対象となる施設数が多くなると、その設定作業が膨大なものとなってしまうため、システム構築時の設定作業が困難になってしまううえ、システム構築時に設定ミスが生じ易くなってしまうという問題があった。
【０００９】
また、上記した従来の地図認識処理システムでは、地図の施設名を認識させる設定処理をシステム構築しているため、地図の施設名を認識させる設定処理を変更したい場合、設定処理の変更を容易に行い難いという問題があった。
【００１０】
そこで、本発明は、音声認識対象となる地図の施設数が多くなっても、システム構築時の設定作業を容易に行うことができるとともに、システム構築時に設定ミスを生じ難くすることができ、しかも、システム構築時の設定処理を変更したい場合、設定処理の変更を容易に行うことができる地図認識処理システムを提供することを目的とする。
【００１１】
【課題を解決するための手段】
第１の発明は、地図背景情報、地図上に表示される各種施設を表示するための施設情報を設定する施設情報テーブルと、施設情報テーブルに対応して施設を音声認識処理手段に認識させるための施設読みを設定する認識処理テーブルと、音声認識処理手段に認識させるための認識単語および認識された時に返す認識ＩＤを設定する認識辞書テーブルと、音声認識時に実行する対応処理を設定する処理プログラム対応テーブルとを備え、地図背景情報、施設情報テーブル、認識処理テーブル、認識辞書テーブルおよび処理プログラム対応テーブルの各種情報を設定する情報設定手段と、地図背景情報および施設情報を表示する地図背景情報／施設情報表示手段と、入力された音声を認識し、その音声認識結果に基づいて認識ＩＤを抽出する音声認識処理手段と、認識ＩＤに対応した施設番号を認識処理テーブルより抽出する施設抽出手段と、処理プログラム対応テーブルに基づいて抽出された施設番号の施設に対する対応処理を実行する対応処理実行手段とを有することを特徴とするものである。
【００１２】
第２の発明は、既存の地図情報に基づいて地図背景情報、施設情報テーブルおよび施設データベースを生成する地図変換処理手段と、施設情報テーブルに基づいて認識処理テーブルを生成する認識辞書変換処理手段とを有することを特徴とするものである。
【００１３】
第３の発明は、施設情報テーブルの施設名に基づいて認識処理テーブルの施設読みを生成する読み変換処理手段を有することを特徴とするものである。
【００１４】
第４の発明は、地図上の任意地点を指定する任意地点データ指定処理手段と、情報を入力する情報入力処理手段と、施設情報テーブルより空きの施設番号を抽出する空施設抽出処理手段と、抽出施設番号を指定の任意地点に割り当て、施設情報テーブル、施設データベース、認識処理テーブルに指定任意地点情報を登録する任意データ登録処理手段とを有することを特徴とするものである。
【００１５】
第５の発明は、認識処理テーブルから認識辞書テーブルを生成する認識処理編集処理を行う際、施設番号の読みを自動的に付加する施設番号読み自動付加処理手段を有することを特徴とするものである。
【００１６】
第６の発明は、地図背景情報、地図上に表示される各種施設を表示するための施設情報を設定する施設情報テーブルと、施設情報テーブルに対応して施設を音声認識処理手段に認識させるための施設読みを設定する認識処理テーブルと、音声認識処理手段に認識させるための認識単語および認識された時に返す認識ＩＤを設定する認識辞書テーブルと、音声認識時に実行する対応処理を設定する処理プログラム対応テーブルとを備え、地図背景情報、施設情報テーブル、認識処理テーブル、認識辞書テーブルおよび処理プログラム対応テーブルの各種情報を設定する工程と、次いで、地図背景情報および施設情報を表示する工程と、次いで、入力された音声を認識する工程と、次いで、その音声認識結果に基づいて施設番号を抽出する工程と、次いで、認識ＩＤに対応した施設番号を認識処理テーブルより抽出する工程と、処理プログラム対応テーブルに基づいて抽出された施設番号の施設に対する対応処理を実行する工程とを含むことを特徴とするものである。
【００１７】
第７の発明は、既存の地図情報に基づいて地図背景情報、施設情報テーブルおよび施設データベースを生成した後、施設情報テーブルに基づいて認識処理テーブルを生成することを特徴とするものである。
【００１８】
第８の発明は、施設情報テーブルの施設名に基づいて認識処理テーブルの施設読みを生成することを特徴とするものである。
【００１９】
第９の発明は、地図上の任意地点を指定する工程と、情報を入力する工程と、施設情報テーブルより空きの施設番号を抽出する工程と、抽出施設番号を指定の任意地点に割り当て、施設情報テーバル、施設データベース、認識処理テーブルに指定任意地点情報を登録する工程とを含むことを特徴とするものである。
【００２０】
第１０の発明は、認識処理テーブルから認識辞書テーブルを生成する際、施設番号の読みを自動的に付加する工程を有することを特徴とするものである。
【００２１】
【発明の実施の形態】
以下、本発明の実施の形態を図面を参照して説明する。
実施の形態１．
図１は本発明に係る実施の形態の地図認識処理システムの構成を示すブロック図、図２は図１に示す地図編集処理部によって生成された地図背景情報例を示す図、図３は図１に示す施設情報編集処理部によって設定された施設情報テーブル例を示す図、図４は図１に示す施設データベース編集処理部によって設定された施設データベース例を示す図、図５は図１に示す認識処理編集処理部によって設定された認識処理テーブル例を示す図、図６は図１に示す認識処理テーブルを基に認識処理編集処理部によって作成された認識辞書テーブル例を示す図、図７は図１に示す処理プログラム対応テーブル編集処理部によって設定された処理プログラム対応テーブル例を示す図である。
【００２２】
図１において、１は地図背景情報２を生成する地図編集処理部であり、３は施設情報テーブル４を設定する施設情報編集処理部である。施設情報テーブル４は、地図上に表示される各種施設を表示するための施設情報を設定する。５は施設データベース６を設定する施設データベース編集処理部であり、７は認識処理テーブル８を設定するとともに、認識処理テーブル８を基に認識辞書テーブル９を作成する認識処理編集処理部である。１６は処理プログラム対応テーブル１７を設定する処理プログラム対応テーブル編集部である。
【００２３】
認識処理テーブル８は、施設情報テーブル４に対応して、施設を施設抽出処理部１９に抽出させるための施設読みを設定し、認識辞書テーブル９は、音声認識処理部１０に認識させるための認識単語および認識された時に返す認識ＩＤを設定する。音声認識処理部１０は、マイク、ハンドセットなどの音声入力部１１で入力された音声を認識し、その音声認識結果を基に認識ＩＤを抽出する。施設抽出処理部１９は、認識処理テーブル８より認識ＩＤに対応した施設番号を抽出する。
【００２４】
１２は地図背景情報２、施設情報を表示ディスプレイ１３で表示する地図表示処理部であり、１４は図７に示す処理プログラム対応テーブルを基に音声認識処理部１０により抽出された施設番号の施設に対応する対応処理を実行する対応処理部であり、１５は音声認識処理部１０、地図表示処理部１２、対応処理部１４などを管理するシステム統括処理部である。
【００２５】
次に、本実施の形態の地図認識処理システムの動作について説明する。本実施の形態では、地図認識処理システムをシステム構築する場合を説明する。
まず、地図編集処理部１は、図２に示す地図背景情報２をラスタ情報で生成する。本実施の形態では、地図背景情報２をビットマップに代表されるラスタ情報で地図編集処理部１により作成したが、ベクタ情報で作成しても構わない。
【００２６】
施設情報編集処理部３は、図３に示すように、地図上に表示される各種施設を表示するための施設情報を設定する施設情報テーブル４を生成する。図３に示す施設情報テーブル４は、施設番号と、各施設番号に対応したＡ図書館、Ｂ図書館などの情報を含む施設名と、各施設を表示するための施設位置と、各施設に対応した表示パターンとから構成される。施設位置は、ラスタ情報のビットで示しており、ビット情報のｘ，ｙ軸の表示位置を示している。
【００２７】
施設データベース編集処理部５は、図４に示すように、施設データベース６を設定する。図４に示す施設データベース６は、施設番号と、各施設番号に対応した施設名と、各施設に対応した属性情報の図書館、美術館などの情報を含む施設種類と、各施設に対応した紹介映像ファイル名とから構成される。施設情報テーブル４の施設番号及び施設名と、施設データベース６の施設番号及び施設名は、それぞれ対応している。
【００２８】
本実施の形態では、属性情報の施設種類と、施設の情報案内ということで紹介映像ファイルとを設定することができる。紹介映像ファイルは、その名前が一覧で表示することができ、施設との間に関連を設定することができる。また、地図画面上で施設を選択することにより、上記にて関連付けられた紹介映像ファイルを再生することができる。
【００２９】
認識処理編集処理部７は、図５に示すように、施設を音声認識処理部１０に認識させるための施設読みを設定する。従来のシステムでは、表示処理と認識処理を別々に行っていたため、別々に作り込まなければならなかった。また、その対応もＩＤで識別して関連付けることも作り込まなければならなかった。これに対し、本実施の形態では、表示処理、認識処理およびその対応付けを本システムのツールで行ってくれるため、設定画面での読みを間違えることなく入力することができる。
【００３０】
認識処理編集処理部７は、認識処理テーブル８を基に図６に示すように、音声認識処理部１０に認識させるための認識単語および認識された時に返す認識ＩＤを設定する認識辞書テーブル９を設定する。処理プログラム対応テーブル編集処理部１６は、処理プログラムテーブル１７を基に図７に示すように、指定された施設に対する実行プログラムを対応処理番号毎に設定する。プログラム実行前に対応処理番号の設定を切り替えることにより、複数の処理を切り替えて実行することができる。
【００３１】
次に、図８は以上の各種設定で構築された地図認識処理システムが実行された場合の処理フローを示す図である。
システム統轄処理部１５は、初期設定として指定時に実行される処理プログラムを決める対応処理番号を設定する（ステップＳ１）。ここでは、１が設定されたこととする。地図表示処理部１２は、図２に示す地図編集処理部１で設定した地図背景情報２を読み込み、地図背景を表示ディスプレイ１３に表示する（ステップＳ２）。次に、施設情報テーブル４を読み込み、図３の施設位置情報及び表示情報を基に、地図背景上に施設情報を表示する。音声認識処理部１０は、表示した地図に関する図６に示す認識辞書テーブル９を認識処理対象として設定する（ステップＳ４）。ここまでで音声認識の前処理が完了し、音声入力を待つ（ステップＳ５）。
【００３２】
音声認識処理部１０は、“でーうんどうじょう”という音声が音声入力部１１より入力されると、入力された音声情報を文字情報に変換し、図６に示す認識辞書テーブルと照合し、合致した認識ＩＤ“４”をＲＩＤに返す（ステップＳ６）。施設抽出処理部１９は、図５に示す認識処理テーブル８よりＲＩＤと認識ＩＤが同じレコードの施設番号４を取得する（ステップＳ７）。対応処理部１４は、処理プログラム対応テーブル１７よりステップＳ１で設定された対応処理番号１に対応した処理プログラムとして、映像再生プログラムを得る（ステップＳ９）。映像再生プログラムは、図４の施設データベース６より、施設番号４の紹介映像ファイル「紹介０００４．ｍｐｇ」の再生を実行する（ステップＳ１０）。同様に、Ａ図書館、Ｂ図書館、Ｃ図書館についてもＤ運動場と同様に対応するよみを発話することにより紹介映像情報を再生することができる。また、対応処理を変更することにより、施設への意見、連絡事項の入力など情報ＢＯＸ的システムを構築することもできる。
【００３３】
従来は、地図の説明、その対応処理などをプログラムで記述する必要があったが、本実施の形態では、地図をベースとしたシステムを構築するための枠組みとして各種の地図背景情報、施設情報、これらに対応して関連付けられた認識処理テーブル８を備えることにより、システム構築する際、手間がかからないようにすることができ、作業時間を短縮させて作業の効率化を図ることができる。また、人手による作業を軽減することができるため、ヒューマンエラーの作り込を減らすことができる。また、システム変更を、プログラムレベルでの変更ではなく、地図の入れ換えや認識辞書の入れ換えなどで行うことにより、柔軟に対応することができる。更に、地図背景情報２、施設情報テーブル４、施設データベース６、認識処理テーブル８、認識辞書テーブル９、処理プログラム対応テーブル１７の設定を変更するだけで様々な地図認識処理システムを構築することができる。
【００３４】
実施の形態２．
次に、地図に関する認識処理システムを構築する場合において、地図背景情報、施設情報テーブル、認識処理テーブルを自動生成する場合の実施の形態を、以下、図面を用いて説明する。
図９は本発明に係る実施の形態２の地図背景情報、施設情報テーブルおよび認識処理テーブルを自動生成処理する自動生成処理構成を示す図である。
図９において、図１と同一符号は同一または相当部分を示し、２１は既存の地図情報２２を基に地図背景情報２、施設情報テーブル４、施設データベース６を生成する地図変換処理部であり、２３は施設情報テーブル４を基に認識処理テーブル８を生成する認識辞書変換処理部であり、２４は施設情報テーブル４の施設名を基に認識処理テーブル８の施設読みを生成する読み変換処理部である。
【００３５】
本実施の形態では、国土地理院の地図情報など現在各種のデジタル地図フォーマットが存在するので、その既存の地図情報２２を活用する。これにより、地図背景情報２、施設情報テーブル４、施設データベース６を自動生成することができるので、実施の形態１の手入力の場合よりも更にミスを低減することができる。
【００３６】
地図変換処理部２１は、既存の地図情報２２を使用して、その既存の地図情報２２をラスタ情報にコンバージョンする。ここでは、範囲を指定し、解像度、倍率などを指定することにより、地図背景情報２を自動的に設定する。地図変換処理部２１は、属性情報を有する既存の地図情報２２を使用し、その属性情報の例えば図書館などを選択して抽出することにより、施設情報テーブル４を自動的に設定する。地図変換処理部２１は、既存の地図情報２１を使用して、同様に施設データベース６を設定する。
本実施の形態では、地図背景情報２をビットマップに代表されるラスタ情報で地図変換処理部２１により生成したが、ベクタ情報で作成しても構わない。
【００３７】
読み変換処理部２４は、施設情報テーブル４の施設名を基に認識処理テーブル８の施設読みを自動的に設定する。既存の地図フォーマットに読みの項目がない場合は、読み変換処理部２４を使用して自動変換された読みの情報を設定することができる。また、図１の施設情報編集処理部３にて設定された施設情報テーブル４が存在する場合、認識辞書変換処理部２３は、施設情報テーブル４の内容を認識処理テーブル８に自動変換することができる。この時は、読み情報が存在しないが、読み変換処理部２４により、読み項目を自動設定することができる。
【００３８】
本実施の形態は、既に存在する地図の電子化されたデータを用いて範囲などを指定したり、施設の種類を指定したりすることにより、地図の背景情報や施設情報をより簡単に自動生成することができる。また、このようなシステムの実地に関するデータの生成のところを効率よく自動化することができる。
【００３９】
本実施の形態は、読みの漢字を含めた表示情報からひらがなだけの読みの情報に変換する処理を付け加えることにより、地図に関する情報だけでなく、認識処理に関する読みの情報も自動生成することができるため、システム構築をより簡便に行うことができる。
【００４０】
実施の形態３．
図１０は本発明に係る実施の形態３の地図認識処理システムの構成を示すブロック図である。図１０において、図１と同一符号は同一または相当部分を示し、３０は任意位置に情報入力する任意地点データ情報入力部である。
【００４１】
施設情報テーブル４、施設データベース６、認識処理テーブル８、認識辞書テーブル９は、事前に設定するので、登録処理を行う場合、その登録位置は、上記設定施設に限定されてしまう。これに対し、本実施の形態では、任意地点に入力したい場合、例えば歩道橋のこの辺が壊れているので速く修理したい等の情報を入力する場合に有効である。
【００４２】
次に、本実施の形態の任意地点データ入力処理例について図１１を基に説明する。
まず、地図表示処理部１２にて表示されている地図上の入力位置を指定する（ステップＳ１０１）。ここでは、（２００，１２０）の位置が指定されたものとする。次に、指定位置に登録したい情報を入力する（ステップＳ１０２）。入力する情報は、文字／図形／静止画／動画のどれでも構わないが、ここでは、動画データが入力され、ｔｍｐ００５．ａｖｉというファイルが生成されたものとする。上記で入力された任意地点を他の施設情報と同様に扱うことができるように、施設情報テーブルをサーチし、空き施設番号を入力し（ステップＳ１０３）、その施設番号を指定任意地点に割り当てる。
【００４３】
ここでは、施設情報テーブルが図３の状態であったとすると、指定任意地点の施設番号として５が割り当てられる。後は、施設情報テーブル（ステップＳ１０４）、施設データベース（ステップＳ１０５）、認識辞書テーブル（ステップＳ１０６）に入力情報を登録して行く。図３〜５の各テーブルが処理前に登録されていた場合、と、図１２〜１４のように、各テーブルがアップデートされる。最後に、認識辞書テーブルの内容を基に、認識辞書テーブルを再生成し、認識を再開する（ステップＳ１０７）。
【００４４】
本実施の形態では、施設情報テーブルより空いている施設番号を取得し、取得した施設番号の施設に対して情報を入力する任意地点データ入力処理ステップを加えることにより、システム構築時に設定した固定的な施設情報だけでなく、任意の地点の情報としてデータを登録してその表示を行うことができるため、実際のシステムの利用者側から見て、きめの細かいデータ入力を行うことができる。このため、システムとしての柔軟性を増すことができ、使い勝手を良好にすることができる。
【００４５】
また、認識処理編集処理部７で、認識処理テーブル８から認識辞書テーブル９を生成する時に、施設番号読み自動付加処理部７ａを実行し、固定的に施設番号の読みを認識辞書に加えておくことにより、認識辞書テーブル９を変更せずにプログラムを継続的に実行することができる。
図１５の認識辞書テーブル９に示すように、例えば１００施設まで読めるように情報を追加して固定にして認識辞書テーブル９を作成する。そして、表示処理の時に、施設番号を表示させておき、例えば“ごばん”と発音されると、それに対応した映像が再生される。また、例えば“いちばん”と発音されると、“えーとしょかん”が選択されてそれに対応した映像が再生される。
【００４６】
本実施の形態では、任意地点データ入力時に認識辞書テーブル９を変更する必要がないため、音声認識処理を中断させることなく処理を継続的に実行することができ、連続して音声を認識する時に、レスポンス悪化を最小限に抑えることができる。
【図面の簡単な説明】
【図１】本発明に係る実施の形態１の地図認識処理システムの構成を示すブロック図である。
【図２】図１に示す地図編集処理部によって生成された地図背景情報例を示す図である。
【図３】図１に示す施設情報編集処理部によって設定された施設情報テーブル例を示す図である。
【図４】図１に示す施設データベース編集処理処理部によって設定された施設データベース例を示す図である。
【図５】図１に示す認識処理編集処理部によって設定された認識処理テーブル例を示す図である。
【図６】図１に示す認識処理テーブルを基に認識処理編集処理部によって作成された認識辞書テーブル例を示す図である。
【図７】抽出された施設番号の施設に対する対応処理を実行する際の対応処理プログラムテーブル例を示す図である。
【図８】図１に示す地図認識処理システムが実行された場合の処理フローを示すフローチャートである。
【図９】本発明に係る実施の形態２の地図背景情報、施設情報テーブルおよび施設データベースを自動生成処理する自動生成処理構成を示す図である。
【図１０】本発明に係る実施の形態３の地図認識処理システムの構成を示すブロック図である。
【図１１】図１０における任意データ入力処理部の処理フローを示すフローチャートである。
【図１２】図１０に示す任意データ入力処理部によって図３に追加された施設情報テーブル例を示す図である。
【図１３】図１０に示す任意データ入力処理部によって図４に追加された施設データベース例を示す図である。
【図１４】図１０に示す任意データ入力処理部によって図５に追加された認識辞書テーブル例を示す図である。
【図１５】図１０に示す施設番号読み自動付加処理部によって生成される認識辞書テーブル例を示す図である。
【図１６】従来の地図認識処理システムの処理フローを示すフローチャートである。
【図１７】従来の地図認識処理システムに使用される認識辞書テーブルを示す図である。
【符号の説明】
１  地図編集処理部、２  地図背景情報、３  施設情報編集処理部、４  施設情報テーブル、５  施設データベース編集処理部、６  施設データベース、７  認識処理編集処理部、７ａ  施設番号読み自動付加処理部、８  認識処理テーブル、９  認識辞書テーブル、１０  音声認識処理部、１１  音声入力部、１２  地図表示処理部、１３  表示ディスプレイ、１４  対応処理部、１４ａ  任意地点データ入力処理部、１５  システム統轄処理部、１６  処理プログラム対応テーブル編集処理部、１７  処理プログラム対応テーブル、１８  処理プログラム部、１９  施設抽出処理部、２１  地図変換処理部、２２  既存の地図情報、２３  認識辞書変換処理部、２４  読み変換処理部、３０  任意地点データ入力処理部。
【図１】
0003550863.tif 000002
【図２】
0003550863.tif 000003
【図３】
0003550863.tif 000004
【図４】
0003550863.tif 000005
【図５】
0003550863.tif 000006
【図６】
0003550863.tif 000007
【図７】
0003550863.tif 000008
【図８】
0003550863.tif 000009
【図９】
0003550863.tif 000010
【図１０】
0003550863.tif 000011
【図１１】
0003550863.tif 000012
【図１２】
0003550863.tif 000013
【図１３】
0003550863.tif 000014
【図１４】
0003550863.tif 000015
【図１５】
0003550863.tif 000016
【図１６】
0003550863.tif 000017
【図１７】
0003550863.tif 000018